(57)【特許請求の範囲】
【請求項１】
第１ハウジングと第２ハウジングとに分割されたハウジングと、
前記第１ハウジングと前記第２ハウジングとに挟持されるエレメントと、
前記第１ハウジング内又は前記第２ハウジング内に固着され枠体により外周を保持された吸着シートと、
からなるエアクリーナにおいて、
前記枠体に複数の取付孔を設け、前記第１ハウジング又は前記第２ハウジングに前記取付孔に固着される複数の取付部を設けると共に、前記取付孔は前記取付部より少なくとも１箇所以上多くしたことを特徴とするエアクリーナ。
【請求項２】
前記取付孔のうち前記取付部が固着されない取付孔を閉塞する閉塞部を前記エレメントに設けたことを特徴とする請求項１に記載のエアクリーナ。
【発明の詳細な説明】
【０００１】
【発明の属する技術分野】
本発明は、自動車エンジン等の内燃機関の吸気系から漏れ出してくる燃料蒸気を吸着するためのエアクリーナに関する。
【０００２】
【従来の技術】
従来、自動車エンジン等の内燃機関の吸気系から漏れ出してくる燃料蒸気を吸着するためのエアクリーナは、第１ハウジングと第２ハウジング（ケースとキャップともいう）とに分割されたハウジングと、ハウジング内に配設されたエレメントと、同じくハウジング内に配設され内燃機関からの燃料蒸気が外気へ放出するのを防止するための吸着シートを備えている。
【０００３】
【発明が解決しようとする課題】
しかしながら、このようなエアクリーナでは、吸着シートの取付が、法規制に基づき、容易にエアクリーナから離脱できないように配慮されている。この結果、吸着シートをリサイクルする際には、吸着シートをエアクリーナから離脱することが極めて困難であった。
【０００４】
また、このようなエアクリーナにおいては、その開口形状が同一でも車両搭載上、吸入ダクト及び排出ダクトやその他の機能部材のエアクリーナへの取り回しが異なる。この結果、吸着シートを固着するため、第１ハウジング又は第２ハウジングに形成する複数の取付部を同じ位置に設けることができず、これらの取付部に対応する吸着シート側の取付孔も前記取付部の位置に対応して個々に設定している。このため、１種類のエアクリーナに対しそれのみに対応する吸着シートとなっており、吸着シートの共通化が望まれている。
【０００５】
本発明は上記事実を考慮し、吸着シートを共通化でき、且つリサイクル時の吸着シートの取外しが容易なエアクリーナを得ることが目的である。
【０００６】
【課題を解決するための手段】
請求項１に記載の発明は、第１ハウジングと第２ハウジングとに分割されたハウジングと、
前記第１ハウジングと前記第２ハウジングとに挟持されるエレメントと、
前記第１ハウジング内又は前記第２ハウジング内に固着され枠体により外周を保持された吸着シートと、
からなるエアクリーナにおいて、
前記枠体に複数の取付孔を設け、前記第１ハウジング又は前記第２ハウジングに前記取付孔に固着される複数の取付部を設けると共に、前記取付孔は前記取付部より少なくとも１箇所以上多くしたことを特徴とする。
【０００７】
従って、吸着シートの枠体に設けた取付孔が、第１ハウジング又は第２ハウジングに設けた取付部より少なくとも１箇所以上多く設けられているため、取付部の設定位置は、複数の取付孔のどれかに対応していれば良い。この結果、取付部の設定位置が異なるエアクリーナに対して吸着シートを共通化できる。また、取付部の数より取付孔の数の方が多く設けられているため、リサイクル時には使用していない取付孔を利用して工具を使用することにより吸着シートを容易に取外すことができる。
【０００８】
請求項２に記載の発明は、請求項１に記載のエアクリーナにおいて、前記取付孔のうち前記取付部が固着されない取付孔を閉塞する閉塞部を前記エレメントに設けたことを特徴とする。
【０００９】
従って、請求項１に記載の内容に加えて、エレメントに設けた閉塞部によって、取付孔のうち取付部が固着されない取付孔を閉塞するため、取付部が固着されない取付孔から蒸発燃料が漏れ出すのを防止できる。
【００１０】
【発明の実施の形態】
本発明のエアクリーナの一実施形態を図１〜図８に従って説明する。
【００１１】
図１に示される如く、本実施形態に係るエアクリーナ１０のハウジング１２は、合成樹脂により成形されており、インレットポート１４を有する第２ハウジングとしてのロアハウジング１６と、アウトレットポート１８を有する第１ハウジングとしてのアッパハウジング２０とに分割されている。即ち、ロアハウジング１６の上面とアッパハウジング２０の下面とはそれぞれ開放されている。
【００１２】
図３に示される如く、アッパハウジング２０における開放部２０Ａの外周には周知のクランプ受け２６が周方向に沿って形成されている。一方、図示を省略したが、ロアハウジング１６の開放部の外周には周知のブラケットが周方向に対して所定の間隔で複数個形成されており、これらのブラケットに取付けられた金属ばね材からなるクランプをアッパハウジング２０のクランプ受け２６に引っ掛けることで、ロアハウジング１６とアッパハウジング２０とが連結されるようになっている。
【００１３】
図５に示される如く、アッパハウジング２０における開放部２０Ａ近傍の内壁２０Ｂからは、アッパハウジング２０内の吸気の流れ（図１の矢印Ｗ）に沿ってリブ３０が形成されている。
【００１４】
図３に示される如く、これらのリブ３０は開放部２０Ａの周方向に沿って所定の間隔で複数形成されており、一部のリブ３０には、取付部としての熱カシメ用のピン３２が立設されている。
【００１５】
図５に示される如く、熱カシメ用のピン３２は、リブ３０における開放部側の端部３０Ａに立設されており、ピン３２は吸着シート４４の外周４４Ａを保持している枠体としての樹脂枠４６に形成された取付孔４８に挿入されている。
【００１６】
図４に示される如く、取付孔４８は樹脂枠４６の周方向に沿って複数形成されており、各取付孔４８には開口部４７が形成されている。
【００１７】
図６に示される如く、熱カシメ用のピン３２はその先端部３２Ａが熱カシメされるようになっており、リブ３０における開放部側の端部３０Ａは、吸着シート４４を装着する際に、樹脂枠４６を受け止める座部となっている。
【００１８】
図３に示される如く、アッパハウジング２０における開放部２０Ａ近傍の内壁２０Ｂには、取付部としての嵌め込み用フック３１が開放部２０Ａの周方向に沿ってリブ３０と重ならない位置に複数形成されている。
【００１９】
図７に示される如く、嵌め込み用フック３１は、吸着シート４４の樹脂枠４６を、アッパハウジング２０における開放部２０Ａの奥方（図７の矢印Ａ方向）へ押し込むことによって、吸着シート４４の樹脂枠４６に形成された取付孔５０に嵌合するようになっている。
【００２０】
図１に示される如く、エレメント２２の外周部にはエレメント２２と一体で形成された不織布からなる軟資の外周枠２２Ａが設けられており、この外周枠２２Ａは、アッパハウジング２０の開放部２０Ａとロアハウジング１６の開放部１６Ａとの間に挟持されている。
【００２１】
図８に示される如く、エレメント２２における外周枠２２Ａの近傍には、吸着シート４４の樹脂枠４６に向けて閉塞部５２が突出形成されており、閉塞部５２の上面５２Ａによって、吸着シート４４の樹脂枠４６に形成された取付孔４８のうち、リブ３０に立設したピン３２が固着されない取付孔４８又は図示を省略したが、取付孔５０のうち嵌め込み用フック３１が固着されない取付孔５０を閉塞するようになっている。なお、閉塞部５２は不織布によって形成されており、取付孔４８、５０にピン３２又は嵌め込み用フック３１が固着されている場合には、ピン３２又は嵌め込み用フック３１に当接した閉塞部５２は、容易に変形するようになっている。
【００２２】
次に、本実施形態の作用を説明する。
【００２３】
本実施形態では、吸着シート４４の樹脂枠４６に設けた取付孔４８及び取付孔５０が、それぞれアッパハウジング２０に設けたピン３２及び嵌め込み用フック３１より少なくとも１箇所以上多く設けられているため、アッパハウジング２０に設けたピン３２及び嵌め込み用フック３１の設定位置は、図２に示される如く、吸着シート４４における複数の取付孔４８及び取付孔５０のどれかに対応していれば良い。この結果、アッパハウジング２０に設けたピン３２及び嵌め込み用フック３１の設定位置が異なるエアクリーナ１０に対して吸着シート４４を共通化できる。
【００２４】
また、吸着シート４４の樹脂枠４６に設けた取付孔４８及び取付孔５０が、それぞれアッパハウジング２０に設けたピン３２及び嵌め込み用フック３１より少なくとも１箇所以上多く設けられているため、リサイクル時には使用していない取付孔４８及び取付孔５０を利用して、例えば、工具を取付孔４８及び取付孔５０に係合させること等により吸着シート４４をアッパハウジング２０から容易に取外すことができる。
【００２５】
また、本実施形態では、エレメント２２に設けた閉塞部５２によって、取付孔４８、５０のうちピン３２又は嵌め込み用フック３１が固着されない取付孔４８、５０が閉塞されるため、ピン３２及び嵌め込み用フック３１が固着されない取付孔４８、５０から蒸発燃料が漏れ出すのを防止できる。
【００２６】
以上に於いては、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、第１ハウジングとしてのアッパハウジング２０にピン３２及び嵌め込み用フック３１を形成したが、これに代えて、第２ハウジングとしてのロアハウジング１６にピン３２及び嵌め込み用フック３１を形成しても良い。
【００２７】
また、上記実施形態では、吸着シート４４の樹脂枠４６に開口部４７を有する取付孔４８を形成したが、取付孔４８は開口部を持たない丸孔としても良い。
【００２８】
また、上記実施形態では、枠体としての樹脂枠４６を使用したが、枠体は樹脂枠４６に限定されず金属枠等の他の枠体でも良い。
【００２９】
【発明の効果】
請求項１に記載の発明は、第１ハウジングと第２ハウジングとに分割されたハウジングと、第１ハウジングと第２ハウジングとに挟持されるエレメントと、第１ハウジング内又は第２ハウジング内に固着され枠体により外周を保持された吸着シートと、からなるエアクリーナにおいて、枠体に複数の取付孔を設け、第１ハウジング又は第２ハウジングに取付孔に固着される複数の取付部を設けると共に、取付孔は取付部より少なくとも１箇所以上多くしたため、吸着シートを共通化でき、且つリサイクル時の吸着シートの取外しが容易であるという優れた効果を有する。
【００３０】
請求項２に記載の発明は、請求項１に記載のエアクリーナにおいて、取付孔のうち取付部が固着されない取付孔を閉塞する閉塞部をエレメントに設けたため、請求項１に記載の効果に加えて、取付部が固着されない取付孔から蒸発燃料が漏れ出すのを防止できるという優れた効果を有する。
【図面の簡単な説明】
【図１】本発明の一実施形態に係るエアクリーナを示す側断面図である。
【図２】本発明の一実施形態に係るエアクリーナのアッパハウジングと吸着シートを示す平面図である。
【図３】本発明の一実施形態に係るエアクリーナのアッパハウジングを示す平面図である。
【図４】本発明の一実施形態に係るエアクリーナの吸着シートを示す平面図である。
【図５】本発明の一実施形態に係るエアクリーナの要部を示す拡大側断面図である。
【図６】本発明の一実施形態に係るエアクリーナの要部を示す拡大側断面図である。
【図７】本発明の一実施形態に係るエアクリーナの要部を示す拡大側断面図である。
【図８】本発明の一実施形態に係るエアクリーナの要部を示す拡大側断面図である。
【符号の説明】
１０    エアクリーナ
１２    ハウジング
１６    ロアハウジング（第２ハウジング）
２０    アッパハウジング（第１ハウジング）
２２    エレメント
３０    リブ
３１    嵌め込み用フック（取付部）
３２    熱カシメ用のピン（取付部）
４４    吸着シート
４６    樹脂枠（枠体）
４８    取付孔
５０    取付孔
５２    エレメントの閉塞部
【図１】
0003995891.tif 000002
【図２】
0003995891.tif 000003
【図３】
0003995891.tif 000004
【図４】
0003995891.tif 000005
【図５】
0003995891.tif 000006
【図６】
0003995891.tif 000007
【図７】
0003995891.tif 000008
【図８】
0003995891.tif 000009